(57)【特許請求の範囲】
【請求項１】
下枠と、障子と、スペーサとを備え、下枠が、下面の室内側及び室外側に取付部を有しており、スペーサが、高さ方向に積層した剥離自在な剥離部と、係合部と、突起部を有しており、係合部が下枠の取付部に係合しており、突起部が係合部に対して室内外方向に離れた位置に設けてあって下枠の下面に当接していることを特徴とする内窓。
【請求項２】
下枠と、障子と、スペーサとを備え、下枠が、下面の室内側又は室外側の少なくともどちらかの位置に取付部を有しており、スペーサが、高さ方向に積層した剥離自在な剥離部と、係合部と、突起部を有しており、係合部が下枠の取付部に係合しており、突起部が係合部の室内側及び室外側に設けてあって下枠の下面に当接していることを特徴とする内窓。
【請求項３】
下枠と、障子と、スペーサとを備え、下枠が、下面の室内側又は室外側の少なくともどちらかの位置にスペーサを有しており、スペーサが、平板状の基部と、高さ方向に積層した剥離自在な複数の剥離部を有しており、剥離部の高さ方向厚さが、室内外方向の一方側よりも他方側が厚くなっていることを特徴とする内窓。
【発明の詳細な説明】
【技術分野】
【０００１】
本発明は、既設の窓の室内側に設ける内窓に関する。
【背景技術】
【０００２】
従来、既設の窓の室内側に設ける内窓が知られており、一例として、特許文献１に示すように、上枠、下枠及び左右の縦枠を四周枠組みした枠体に障子をスライド自在に嵌め込んだものであって、枠体を既設の窓の室内側の躯体見込面に固定するものがある。このような内窓は、既設の窓に後から追加して取り付けることができ、容易に断熱性や防音性を向上させることができる点が特徴である。
【先行技術文献】
【特許文献】
【０００３】
【特許文献１】特開２００８−３０３６０９号公報
【発明の概要】
【発明が解決しようとする課題】
【０００４】
ところで、特に浴室の窓において、既設の窓の室内側の躯体見込面のうち、下枠側の面に、その上面に滞留した水を室内側へ戻すための排水勾配が設けられている場合がある。このような場合であっても、内窓の下枠は水平に設置しなければ障子の開閉に支障を来してしまう。そこで従来、図６に示すように、障子１０２を支持するレール１５１を有する下枠１０５と躯体見込面１１０の間に下枠１０５の長手方向に延びるスペーサ１０３を挿入し、勾配の緩急に応じてスペーサ１０３の室内外方向の位置を調整することで下枠１０５の取付角度を水平に設定していた（図６（ａ）は勾配が緩やかな場合、図６（ｂ）は勾配が急な場合）。しかしながら、下枠１０５と躯体見込面１１０の間の間隔は狭く、また挿入したスペーサ１０３は下枠１０５の下側に隠れてしまうので、スペーサ１０３を全長にわたって適正な位置に配置することは困難であった。
【０００５】
本発明は、上記事情を鑑みたものであり、躯体見込面が傾斜していても容易に下枠の取付角度を水平に設定できる内窓を提供することを目的とする。
【課題を解決するための手段】
【０００６】
本発明のうち請求項１の発明は、下枠と、障子と、スペーサとを備え、下枠が、下面の室内側及び室外側に取付部を有しており、スペーサが、高さ方向に積層した剥離自在な剥離部と、係合部と、突起部を有しており、係合部が下枠の取付部に係合しており、突起部が係合部に対して室内外方向に離れた位置に設けてあって下枠の下面に当接していることを特徴とする。
【０００７】
本発明のうち請求項２の発明は、下枠と、障子と、スペーサとを備え、下枠が、下面の室内側又は室外側の少なくともどちらかの位置に取付部を有しており、スペーサが、高さ方向に積層した剥離自在な剥離部と、係合部と、突起部を有しており、係合部が下枠の取付部に係合しており、突起部が係合部の室内側及び室外側に設けてあって下枠の下面に当接していることを特徴とする。
【０００８】
本発明のうち請求項３の発明は、下枠と、障子と、スペーサとを備え、下枠が、下面の室内側又は室外側の少なくともどちらかの位置にスペーサを有しており、スペーサが、平板状の基部と、高さ方向に積層した剥離自在な複数の剥離部を有しており、剥離部の高さ方向厚さが、室内外方向の一方側よりも他方側が厚くなっていることを特徴とする。
【発明の効果】
【０００９】
本発明のうち請求項１の発明によれば、下枠を躯体見込面に取り付けるにあたって、二つのスペーサが躯体見込面に当接する。そして、各スペーサの剥離部を適宜剥離することで、躯体見込面が傾斜している場合であっても下枠を水平に取り付けることができる。スペーサは係合部を取付部に係合させて予め下枠に取り付けてあるので、室内外方向の位置調整を行う必要がなく、施工が容易である。また、突起部が下枠の下面に当接することで、ガタのない部分で確実に荷重を受けられる。
【００１０】
本発明のうち請求項２の発明によれば、下枠を躯体見込面に取り付けるにあたって、一つのスペーサと下枠の他の部位、又は二つのスペーサが躯体見込面に当接する。何れの場合においても、各スペーサの剥離部を適宜剥離することで、躯体見込面が傾斜している場合であっても下枠を水平に取り付けることができる。スペーサは係合部を取付部に係合させて予め下枠に取り付けてあるので、室内外方向の位置調整を行う必要がなく、施工が容易である。また、突起部が下枠の下面に当接することで、ガタのない部分で確実に荷重を受けられる。
【００１１】
本発明のうち請求項３の発明によれば、下枠を躯体見込面に取り付けるにあたって、一つのスペーサと下枠の他の部位、又は二つのスペーサが躯体見込面に当接する。何れの場合においても、各スペーサの剥離部を適宜剥離することで、躯体見込面が傾斜している場合であっても下枠を水平に取り付けることができる。スペーサは予め下枠に取り付けてあるので、室内外方向の位置調整を行う必要がなく、施工が容易である。また、躯体見込面が傾斜している場合には、水平な下枠と見込面との間の隙間が室内外方向の一方側から他方側へ向けて厚くなるので、スペーサの形状が隙間の形状に一致して、より確実に下枠を支持することができる。
【図面の簡単な説明】
【００１２】
【図１】本発明の内窓の第一実施形態の下枠部分の断面図である。
【図２】スペーサの拡大図である。
【図３】内窓の全体図である。
【図４】スペーサによる下枠の角度調整の説明図である。
【図５】内窓の第二実施形態における下枠の角度調整の説明図である。
【図６】従来のスペーサによる下枠の角度調整の説明図である。
【発明を実施するための形態】
【００１３】
以下、本発明の実施の形態を図面に基づいて説明する。この内窓の第一実施形態は、浴室の窓Ｗの室内側に設けるものである。図３に示すように、窓Ｗは躯体開口部の室外側寄りに取り付けてあって、窓Ｗの室内側には躯体見込面が形成してあり、下側の躯体見込面１０は、滞留した水が浴室側へ戻るように、浴室側へ向けて下方に傾斜している。そして内窓は、枠体１と、二枚の障子２ｐ，２ｑとを備えており、躯体見込面に取り付けてある。
【００１４】
枠体１は、上枠４と、下枠５と、左右の縦枠６からなるものである。下枠５は、図１に示すように、上側部材５ａと下側部材５ｂとを上下に重ねて構成してあり、上側部材５ａは、略平板状で、上面には長手方向に延びる二本のレール５１ｐ，５１ｑを有している。なおこの上側部材５ａは、下側部材５ｂと組み合わせずに直接躯体見込面１０に固定して、単独で内窓の下枠として使用することもできる。一方、下側部材５ｂは、略平板状で、室外側端には一段高い階段状に形成された段部５２を有し、室内側端の下面には水平部５３を有する。なお、上側部材５ａと下側部材５ｂとは、両面テープにより接合してある。そして、各レール５１ｐ，５１ｑがそれぞれ障子２ｐ，２ｑをスライド自在に支持しており、二枚の障子２ｐ，２ｑは枠体１に引き違いに納めてある。
【００１５】
下枠５の下側部材５ｂの下面には、室内側のレール５１ｐの直下の位置にスペーサ３が取り付けてある。スペーサ３は、下枠５の長手方向の全長にわたって延びるものであり、図２に示すように、略平板状の基部３２と、基部３２上面の室内外方向中央に形成した略Ｔ字形の係合部３３と、基部３２上面の室内外方向両端に形成した突起部３４とを有し、さらに基部３２の下面には、略平板状で、室外側から室内側へ向けて厚くなっている（ｔ１＜ｔ２）二枚の剥離部３１ａ，３１ｂが積層して形成してある。このスペーサ３は、塩化ビニル製で、上記の各要素がすべて一体成形されているが、基部３２と上側の剥離部３１ａ同士、及び上側の剥離部３１ａと下側の剥離部３１ｂ同士は、室内外方向中央及び両端の一部分でのみ繋がっており、剥離部３１ａ，３１ｂは手作業で容易に剥離できる。そして、下側部材５ｂの下面には、下側に向けて開口し長手方向に延びる溝状の取付部５４が形成してあり、取付部５４の長手方向端部からスペーサ３の係合部３３を挿入して取り付けてある。こうしてスペーサ３を取り付けると、突起部３４の上面が下側部材５ｂの下面に当接する。これは、スペーサ３の係合部３３と下側部材５ｂの取付部５４との間には、挿入可能にするために若干のガタがあるため、ガタのない部分でより確実に荷重を受けられるようにするためのものである。したがって、取付部５４の位置はレール５１ｐの位置よりやや室外側にずれており、スペーサ３を取り付けたときに、突起部３４がレール５１ｐの直下に位置するようなっている。
【００１６】
また、下枠５の下側部材５ｂの下面の室外側のレール５１ｑの直下の位置には、補助スペーサ３ｑが取り付けてある。補助スペーサ３ｑは、下枠５の長手方向の全長にわたって延びるものであり、スペーサ３の剥離部をすべて剥離したものと同じ形状である。下側部材５ｂの下面には、取付部５４と同じ形状の補助取付部５４ｑが形成してあり、取付部５４と同様に、レール５１ｑの位置よりやや室外側にずれている。
【００１７】
さらに、下枠５の下側部材５ｂの段部５２の根元部分からは、接地部５５が下側に突出している。接地部５５の高さはスペーサ３の突起部３４の高さと略同じである。さらに、下側部材５ｂの室内側端に形成した水平部５３も、スペーサ３の突起部３４の高さと略同じだけ下方に突出している。
【００１８】
このように構成した内窓は、躯体見込面１０が傾斜していても、下枠５の取付角度を水平に設定できる。すなわち、躯体見込面１０の傾斜角度が大きい場合には、図４（ａ）に示すように、スペーサ３の剥離部３１ａ，３１ｂをそのままにする。このようにすると、接地部５５の高さに対してスペーサ３の高さは二枚の剥離部３１ａ，３１ｂの分だけ高くなり、下枠５は略水平になる。この際、剥離部３１ａ，３１ｂが室外側から室内側へ向けて厚くなっているので、下側の剥離部３１ｂの下面が傾斜した躯体見込面１０と略平行になり、全面で接地してより確実に荷重を受けることができる。また、躯体見込面１０の傾斜角度が小さい場合には、図４（ｂ）に示すように、スペーサ３の下側の剥離部３１ｂのみを剥離し、上側の剥離部３１ａはそのままにする。このようにすると、接地部５５の高さに対してスペーサ３の高さは一枚の剥離部３１ａの分だけ高くなり、下枠５は略水平になる。この際、剥離部３１ａが室外側から室内側へ向けて厚くなっているので、剥離部３１ａの下面が傾斜した躯体見込面１０と略平行になり、全面で接地してより確実に荷重を受けることができる。そして何れの場合においても、室内側端においては躯体見込面１０と水平部５３との間に隙間が生じるので、コーキング５６を充填して塞いである。なお、コーキング５６を充填する際には、予め躯体見込面１０と水平部５３との間に閉止部材５９を挿入して、コーキング５６が奥へ浸入するのを防ぐ。また、補助スペーサ３ｑは躯体見込面１０に当接せず浮いた状態となっているが、これは下枠５が障子２ｐ，２ｑの荷重によりたわんだ際に荷重を受け、それ以上のたわみを防ぐものである。なお、スペーサ３の高さは剥離部一枚の厚さの単位でしか変更できないから、厳密には下枠５が水平にならない場合もあるが、スペーサ３は塩化ビニル製で弾性を有するから、ある程度の高さの誤差は吸収できる。さらに、躯体見込面１０が水平な場合には、図４（ｃ）に示すように、スペーサ３の両方の剥離部をすべて剥離する。このようにすると、スペーサ３、補助スペーサ３ｑ、接地部５５及び水平部５３は、すべて略同じ高さとなり、下枠５は水平になる。そして水平部５３には両面テープを貼って躯体見込面１０に接着し、周囲をコーキング５６で密閉してある。さらに、何れの場合においても、上側部材５ａの室内外方向両端部と、下側部材５ｂとの間にもコーキング５６を充填し、上側部材５ａと下側部材５ｂとの間に水が浸入するのを防いでいる。そして、このようにスペーサ３を調整した内窓については、上側、下側及び左右側の躯体見込面にアンカー５８を固定し、上枠４、下枠５及び左右の縦枠６をそれぞれネジ止めして固定する。特に下枠５においては、図１に示すように、段部５２の上面にネジ孔５７を形成し、ネジを挿入してある。これは、段部５２の上面が階段形状の高い位置になるので、下枠５の上面や障子２ｐ，２ｑから伝わってきた水が達しにくく、ネジ孔５７からの漏水を防止できるからである。
【００１９】
このように、本発明の内窓によれば、スペーサの剥離部を適宜剥離することで、躯体見込面が傾斜している場合であっても下枠を水平に取り付けることができる。スペーサは予め下枠に取り付けてあるので、室内外方向に位置調整を行う必要がなく、施工が容易である。また、スペーサの突起部が障子を支持するレールの直下に位置しており、しかも下枠の全長にわたって延びているから、障子がどの位置にスライドしても、その荷重をスペーサが直接受けるので、下枠が変形することがない。さらに、躯体見込面が傾斜している場合において、スペーサの形状が下枠と見込面との間の隙間の形状に一致し、より確実に下枠を支持することができる。また、スペーサが弾性を有するので、障子をスライドさせた際の振動を吸収し、より静寂で円滑な開閉が可能になる。
【００２０】
なお、本実施形態においては、スペーサの剥離部について、室外側厚さｔ１＝０．８ｍｍ、室内側厚さｔ２＝１．０ｍｍ、見込幅が１５ｍｍ以上としてある。両端の厚さの差は僅かであるが、複数枚積層することで差の合計は大きくなり、躯体見込面の傾斜が大きくなるほど剥離部の残存枚数も増えるので、スペーサの下面と躯体見込面が常に略平行になる。また、スペーサの室内外方向の位置は、その室内側端が、構造材の室内側端と略一致しており、荷重を構造材で受けることができるようにしてある。そして、本実施形態は一般的な軸組木造家屋の場合を示しており、構造材の見込幅は約１０５ｍｍであるが、この内窓をツーバイフォー構造の家屋に用いた場合、構造材の見込幅は約９０ｍｍである。その場合でも、スペーサの見込幅が１５ｍｍ以上あるので、スペーサの室外側端が構造材の直上に位置し、やはり荷重を構造材で受けることができる。このようにスペーサの見込幅を１５ｍｍ以上にすることで、軸組構造の場合とツーバイフォー構造の場合の何れにおいても、スペーサを構造材の直上に位置させることができ、これは浴室の下額縁が構造材と強固に連結されていない場合や、額縁自身の剛性が低い場合に特に有効である。
【００２１】
次に、本発明の第二実施形態について、図５に基づき説明する。ただし、第一実施形態と異なるのは下枠５の一部分のみであり、それ以外の部分については説明を省く。第二実施形態において、下枠５は上側部材５ａと下側部材５ｂとを上下に重ねて構成してあり、上側部材５ａは二本のレール５１ｐ，５１ｑを有し、二枚の障子２ｐ，２ｑを支持している。一方、下側部材５ｂは、略平板状で、室内側端に、下側に突出する略Ｌ字形状の接地部５５を有しており、室外側のレール５１ｑの直下にスペーサ３を取り付けてある。スペーサ３は二枚の剥離部３１ａ，３１ｂを有するが、剥離部３１ａ，３１ｂの厚さは室内外方向で一定である。そして、接地部５５の高さは剥離部３１ａ，３１ｂを含むスペーサ３の高さと略同じである。
【００２２】
このように構成した第二実施形態においては、躯体見込面１０が水平な場合には、図５（ａ）に示すように、スペーサ３の剥離部３１ａ，３１ｂをそのままにする。このようにすると、スペーサ３と接地部５５は同じ高さとなり、下枠５は水平になる。一方、躯体見込面１０が傾斜している場合には、図５（ｂ）に示すように、スペーサ３の剥離部をすべて剥離する。このようにすると、接地部５５の高さに対してスペーサ３の高さは二枚の剥離部の分だけ低くなり、下枠５は略水平になる。この際、剥離部を剥離したスペーサ３の下面は水平であり、傾斜した躯体見込面１０とは平行にならないが、スペーサ３は塩化ビニル製で弾性を有するから、ある程度の角度の誤差は吸収できる。なお、躯体見込面の傾斜の角度によっては、剥離部を一枚だけ剥離してもよい。
【００２３】
本発明は、上記の実施形態に限定されない。スペーサの剥離部の積層枚数は、一枚でもよいし、二枚より多くてもよい。また、スペーサの基部と剥離部、及び剥離部同士は、一体成形ではなく接着により剥離可能に接合してあってもよい。さらに、スペーサは短尺のものを下枠の見付方向にわたって間隔を空けて複数配置するものであってもよい。またスペーサの素材は、弾性を有するものであれば塩化ビニル以外のものであってもよい。さらに、スペーサは下枠に接着して取り付けてもよい。また、補助スペーサは、予めスペーサとは別に製造すれば、剥離部がない分だけ材料を節約できる。一方、スペーサの剥離部をすべて剥離したものを補助スペーサとして使用すれば、スペーサと補助スペーサを一つの製造工程で製造できるので効率がよく、どちらでもよい。さらに、第一実施形態において補助スペーサを取り付けた位置にも替わりにスペーサを取り付けて、室内側と室外側の二つのスペーサのそれぞれの剥離部を適宜剥離して角度及び高さを調節するようにしてもよい。また、下枠が上側部材と下側部材とに分かれていることにより、上側部材を単独で使用する内窓と部材を共用することができるが、上側部材と下側部材とが一体成形されていてもよく、この場合、両者を接合する手間が省けるので施工がさらに容易になる。さらに、躯体に下地材がある場合には、アンカーを用いることなく、下枠を直接躯体にネジ止めしてもよい。
【符号の説明】
【００２４】
２ｐ，２ｑ  障子
３  スペーサ
５  下枠
３１ａ，３１ｂ  剥離部
５１ｐ，５１ｑ  レール
【図１】
0005689256.tif 000002
【図２】
0005689256.tif 000003
【図３】
0005689256.tif 000004
【図４】
0005689256.tif 000005
【図５】
0005689256.tif 000006
【図６】
0005689256.tif 000007